(57)【要約】【課題】ＤＶＢ-ＡＳＩ方式の入力端子のビットレートが制限されることによるボトルネックを解消すること。【解決手段】本発明に係る送信装置１は、複数の送信系統を有しており、ＤＶＢ-ＡＳＩ方式の入力端子を介して入力されたＴＳパケットを含むＤＶＢ-ＡＳＩ方式の信号に対する受信処理を行うように構成されているＤＶＢ-ＡＳＩ受信処理部１０ａ/１０ｂと、所定数のＴＳパケットを多重してデータフレームを生成するように構成されているデータフレーム同期部１４とを具備しており、データフレーム同期部１４は、データフレームの先頭のＴＳパケットに対して付与されているＴＳパケットの同期ワードをデータフレームの同期ワードに変更するように構成されている。【選択図】図２
2018110395.tif 000002
【特許請求の範囲】
【請求項１】
複数の送信系統を有している送信装置であって、
ＤＶＢ-ＡＳＩ方式の入力端子を介して入力されたＴＳパケットを含むＤＶＢ-ＡＳＩ方式の信号に対する受信処理を行うように構成されているＤＶＢ-ＡＳＩ受信処理部と、
所定数の前記ＴＳパケットを多重してデータフレームを生成するように構成されているデータフレーム同期部とを具備しており、
前記データフレーム同期部は、前記データフレームの先頭の前記ＴＳパケットに対して付与されているＴＳパケットの同期ワードを当該データフレームの同期ワードに変更するように構成されていることを特徴とする送信装置。
【請求項２】
前記送信系統の各々に対応する複数の前記ＤＶＢ-ＡＳＩ受信処理部を具備しており、
前記データフレーム同期部は、前記複数のＤＶＢ-ＡＳＩ受信処理部から出力された所定数の前記ＴＳパケットを多重してデータフレームを生成するように構成されていることを特徴とする請求項１に記載の送信装置。
【請求項３】
前記データフレーム同期部によって出力された前記データフレームに対して変調処理を施すように構成されている前記送信系統の各々に対応する複数の変調部を具備していることを特徴とする請求項１又は２に記載の送信装置。
【請求項４】
複数の受信系統を有している受信装置であって、
ＦＰＵ方式のシステムから受信したデータフレームからＴＳパケットを分離して出力するように構成されているＴＳパケット分離部と、
前記ＴＳパケットを含むＤＶＢ-ＡＳＩ方式の信号を生成してＤＶＢ-ＡＳＩ方式の出力端子を介して出力するように構成されているＤＶＢ-ＡＳＩ送信処理部とを具備しており、
前記ＴＳパケット分離部は、前記データフレームの先頭の前記ＴＳパケットに対して付与されている当該データフレームの同期ワードをＴＳパケットの同期ワードに変更するように構成されていることを特徴とする受信装置。
【請求項５】
前記データフレームに対して復調処理を施すように構成されている前記受信系統の各々に対応する複数の復調部を具備しており、
前記複数の復調部は、前記復調処理を施した前記データフレームを前記ＴＳパケット分離部に対して出力するように構成されていることを特徴とする請求項４に記載の受信装置。
【請求項６】
前記受信系統の各々に対応する複数の前記ＤＶＢ-ＡＳＩ送信処理部を具備していることを特徴とする請求項４又は５に記載の受信装置。
【請求項７】
コンピュータを、請求項１〜３のいずれか一項に記載の送信装置として機能させるためのプログラムを実行するプロセッサによって構成されるチップ。
【請求項８】
コンピュータを、請求項４〜６のいずれか一項に記載の受信装置として機能させるためのプログラムを実行するプロセッサによって構成されるチップ。
【発明の詳細な説明】
【技術分野】
【０００１】
本発明は、送信装置、受信装置及びチップに関する。
【背景技術】
【０００２】
スポーツ中継やニュース中継のような放送局外で制作する番組素材は、番組制作の現場から放送局へ無線で伝送される。かかる伝送の際に利用される様々な周波数に対応する標準規格として、ＦＰＵ（Ｆｉｅｌｄ  Ｐｉｃｋ-ｕｐ  Ｕｎｉｔ：番組素材伝送装置）方式が提案されている（非特許文献１〜４参照）。
【０００３】
図９に、非特許文献１〜４に記載されている従来のＦＰＵ方式の構成について示す。図９に示すように、従来のＦＰＵ方式の送信装置１は、１つの送信系統のみを有する構成である。
【０００４】
また、図１０に示すように、従来のＦＰＵ方式におけるデータフレーム同期処理では、２７０Ｍｂｐｓの伝送レートを有するＤＶＢ-ＡＳＩ入力端子から入力されるデータ系列（ＴＳパケット）について、８個のＴＳパケットを１つの単位としたデータフレームを構成する。
【先行技術文献】
【非特許文献】
【０００５】
【非特許文献１】テレビジョン放送番組素材伝送用可搬型マイクロ波帯デジタル無線伝送システム、標準規格（ＡＲＩＢ  ＳＴＤ-Ｂ１１  ２.２版）、一般社団法人電波産業会
【非特許文献２】テレビジョン放送番組素材伝送用可搬型ＯＦＤＭ方式デジタル無線伝送システム、標準規格（ＡＲＩＢ  ＳＴＤ-Ｂ３３  １.２版）、一般社団法人電波産業会
【非特許文献３】テレビジョン放送番組素材伝送用可搬型ミリ波帯デジタル無線伝送システム、標準規格（ＡＲＩＢ  ＳＴＤ-Ｂ４３  １.０版）、一般社団法人電波産業会
【非特許文献４】１.２ＧＨｚ/２.３ＧＨｚ帯テレビジョン放送番組素材伝送用可搬型ＯＦＤＭ方式デジタル無線伝送システム、標準規格（ＡＲＩＢ  ＳＴＤ-Ｂ５７  ２.０版）、一般社団法人電波産業会
【発明の概要】
【発明が解決しようとする課題】
【０００６】
次世代の放送サービスの実現に向けて、２０１６年８月に、４Ｋ・８Ｋ試験放送が開始されている。特に、８Ｋ放送は、従来のハイビジョン放送より高精細な映像と臨場感のある音声を楽しむことができる一方で、伝送すべきデータの量が飛躍的に増加する。
【０００７】
４Ｋ・８Ｋ試験放送のうち、特に、８Ｋ方式の試験放送については、家庭向けの伝送を想定したビットレートは、８５Ｍｂｐｓであり、現在の地上デジタル放送のビットレートである１７Ｍｂｐｓの５倍である。さらに、番組素材を伝送するためのビットレートは、映像のクオリティを保つために、さらに高いビットレートが要求される。
【０００８】
しかしながら、番組素材を無線で伝送する既存のＦＰＵ方式のシステムでは、入出力インターフェースとしてＤＶＢ-ＡＳＩ方式が採用されており、且つ、１つの送信系統のみを有する構成であるため、ビットレートの上限は、ＤＶＢ-ＡＳＩ方式の入力端子のビットレートの上限である２１３Ｍｂｐｓに制限されるという問題点があった。
【０００９】
そこで、本発明は、上述した課題を解決するためになされたものであり、ＤＶＢ-ＡＳＩ方式の入力端子のビットレートが制限されることによるボトルネックを解消することができる送信装置、受信装置及びチップを提供することを目的とする。
【課題を解決するための手段】
【００１０】
本発明の第１の特徴は、複数の送信系統を有している送信装置であって、ＤＶＢ-ＡＳＩ方式の入力端子を介して入力されたＴＳパケットを含むＤＶＢ-ＡＳＩ方式の信号に対する受信処理を行うように構成されているＤＶＢ-ＡＳＩ受信処理部と、所定数の前記ＴＳパケットを多重してデータフレームを生成するように構成されているデータフレーム同期部とを具備しており、前記データフレーム同期部は、前記データフレームの先頭の前記ＴＳパケットに対して付与されているＴＳパケットの同期ワードを当該データフレームの同期ワードに変更するように構成されていることを要旨とする。
【００１１】
本発明の第２の特徴は、複数の受信系統を有している受信装置であって、ＦＰＵ方式のシステムから受信したデータフレームからＴＳパケットを分離して出力するように構成されているＴＳパケット分離部と、前記ＴＳパケットを含むＤＶＢ-ＡＳＩ方式の信号を生成してＤＶＢ-ＡＳＩ方式の出力端子を介して出力するように構成されているＤＶＢ-ＡＳＩ送信処理部とを具備しており、前記ＴＳパケット分離部は、前記データフレームの先頭の前記ＴＳパケットに対して付与されている当該データフレームの同期ワードをＴＳパケットの同期ワードに変更するように構成されていることを要旨とする。
【００１２】
本発明の第３の特徴は、コンピュータを、上述の第１の特徴に記載の送信装置として機能させるためのプログラムを実行するプロセッサによって構成されるチップであることを要旨とする。
【００１３】
本発明の第４の特徴は、コンピュータを、上述の第２の特徴に記載の受信装置として機能させるためのプログラムを実行するプロセッサによって構成されるチップであることを要旨とする。
【発明の効果】
【００１４】
本発明によれば、ＤＶＢ-ＡＳＩ方式の入力端子のビットレートが制限されることによるボトルネックを解消することができる送信装置、受信装置及びチップを提供することができる。
【図面の簡単な説明】
【００１５】
【図１】図１は、第１の実施形態に係る送信装置１の構成図の一例である。
【図２】図２は、第１の実施形態に係る送信装置１のデータフレーム同期部１４の動作の一例を説明するための図である。
【図３】図３は、第１の実施形態に係る受信装置３の構成図の一例である。
【図４】図４は、第２の実施形態に係る送信装置１の構成図の一例である。
【図５】図５は、第２の実施形態に係る送信装置１のデータフレーム同期部１４の動作の一例を説明するための図である。
【図６】図６は、第２の実施形態に係る受信装置３の構成図の一例である。
【図７】図７は、第３の実施形態に係る送信装置１の構成図の一例である。
【図８】図８は、第３の実施形態に係る受信装置３の構成図の一例である。
【図９】図９は、従来技術を説明するための図である。
【図１０】図１０は、従来技術を説明するための図である。
【発明を実施するための形態】
【００１６】
（第１の実施形態）
以下、図１〜図３を参照して、本発明の第１の実施形態に係る放送システムについて説明する。本実施形態に係る放送システムは、上述の次世代の地上デジタル放送に対応するように構成されており、具体的には、ＦＰＵ方式に対応しており、例えば、図１に示す送信装置１及び図３に示す受信装置３を具備する。
【００１７】
本実施形態に係る送信装置１では、１本の送信アンテナによるＳＩＳＯ（Ｓｉｎｇｌｅ-Ｉｎｐｕｔ  Ｓｉｎｇｌｅ-Ｏｕｔｐｕｔ）が適用されている。また、本実施形態に係る送信装置１は、送信系統１及び送信系統２の２つの送信系統を有している。
【００１８】
図１に示すように、本実施形態に係る送信装置１は、ＤＶＢ-ＡＳＩ方式の入力端子１/２と、ＤＶＢ-ＡＳＩ受信処理部１０ａ/１０ｂと、ＴＳパケット長変換部１３ａ/１３ｂと、データフレーム同期部１４と、変調部１５とを具備している。
【００１９】
ここで、ＤＶＢ-ＡＳＩ方式の入力端子１、ＤＶＢ-ＡＳＩ受信処理部１０ａ及びＴＳパケット長変換部１３ａは、送信系統１に対応し、ＤＶＢ-ＡＳＩ方式の入力端子２、ＤＶＢ-ＡＳＩ受信処理部１０ｂ及びＴＳパケット長変換部１３ｂは、送信系統２に対応する。また、データフレーム同期部１４及び変調部１５は、送信系統１/２の両者に対して処理を施すように構成されている。
【００２０】
ＤＶＢ-ＡＳＩ受信処理部１０ａ/１０ｂは、ＤＶＢ-ＡＳＩ方式の入力端子１/２を介して入力されたデータ系列（ＴＳパケット）を含むＤＶＢ-ＡＳＩ方式の信号に対する受信処理を行うように構成されている。
【００２１】
具体的には、図１に示すように、ＤＶＢ-ＡＳＩ受信処理部１０ａは、ＤＶＢ-ＡＳＩ同期ワード・スタッフィング除去部１１ａと、８Ｂ/１０Ｂデコード部１２ａとを具備しており、ＤＶＢ-ＡＳＩ受信処理部１０ｂは、ＤＶＢ-ＡＳＩ同期ワード・スタッフィング除去部１１ｂと、８Ｂ/１０Ｂデコード部１２ｂとを具備している。
【００２２】
ＤＶＢ-ＡＳＩ同期ワード・スタッフィング除去部１１ａ/１１ｂは、それぞれ、ＤＶＢ-ＡＳＩ方式の入力端子１/２を介して入力されたＤＶＢ-ＡＳＩ方式の信号に対して、同期ワード及びスタッフィングを除去する処理を施すように構成されている。
【００２３】
８Ｂ/１０Ｂデコード部１２ａ/１２ｂは、それぞれ、ＤＶＢ-ＡＳＩ同期ワード・スタッフィング除去部１１ａ/１１ｂから入力された信号に対して、８Ｂ/１０Ｂデコード処理を施すように構成されている。
【００２４】
ＴＳパケット長変換部１３ａ/１３ｂは、それぞれ、８Ｂ/１０Ｂデコード部１２ａ/１２ｂから入力された信号に含まれているＴＳパケットの長さを変換する構成されている。
【００２５】
具体的には、ＴＳパケット長変換部１３ａ/１３ｂは、それぞれ、８Ｂ/１０Ｂデコード部１２ａ/１２ｂから入力された信号に含まれているＴＳパケットの長さが１８８バイトである場合に、かかるＴＳパケットの長さを１８８バイトから２０４バイトに変更するように構成されている。
【００２６】
一般的に、ＤＶＢ-ＡＳＩ方式の信号Ａは、１８８バイト長のＴＳパケット及び２０４バイト長のＴＳパケットのいずれかを含むことができる。ここで、ＦＰＵ方式では、２０４バイト長のデータとして変調部（本実施形態に係る送信装置１における変調部１５）に入力する必要がある。したがって、通常は、ＤＶＢ-ＡＳＩ方式の入力端子１/２を介して２０４バイト長のＴＳパケットが入力されるように設定されるが、本実施形態に係る送信装置１では、ＴＳパケット長変換部１３ａ/１３ｂによって、ＤＶＢ-ＡＳＩ方式の入力端子１/２を介して１８８バイト長のＴＳパケットが入力された場合であっても２０４バイト長のＴＳパケットに変換することができる。
【００２７】
データフレーム同期部１４は、ＴＳパケット長変換部１３ａ/１３ｂから出力された所定数のＴＳパケットを多重してデータフレームを生成し、データフレーム単位の同期処理を行うように構成されている。
【００２８】
具体的には、図２（ａ）及び図２（ｂ）に示すように、１個のデータフレームは、送信系統１/２の各々を介して伝送されているＴＳパケットの中から選択された８個のＴＳパケットによって構成されている。
【００２９】
すなわち、データフレーム同期部１４は、送信系統１/２の各々を介して伝送されているＴＳパケットの中から８個のＴＳパケットを選択してデータフレームを生成することで、送信系統１/２の各々を介して伝送されているＴＳパケットを１つにまとめることができる。
【００３０】
例えば、データフレーム同期部１４は、図２（ａ）及び図２（ｂ）に示すように、送信系統１を介して伝送されているＴＳパケット（ＤＶＢ-ＡＳＩ方式の入力端子１から入力されたＴＳパケット）及び送信系統２を介して伝送されているＴＳパケット（ＤＶＢ-ＡＳＩ方式の入力端子２から入力されたＴＳパケット）を交互に並べてデータフレームを生成するように構成されていてもよい。
【００３１】
ここで、データフレーム同期部１４は、各データフレームの先頭のＴＳパケットに対して付与されているＴＳパケットの同期ワードを、データフレームに対して付与されている同期ワードに変更するように構成されている。具体的な例については、後述する。
【００３２】
例えば、図２（ａ）及び図２（ｂ）に示すように、データフレーム同期部１４は、送信系統１を介して伝送されているＴＳパケット１_１〜１_４及び送信系統２を介して伝送されているＴＳパケット２_１〜２_４によって構成されているデータフレームの先頭のＴＳパケット１_１に対して付与されているＴＳパケットの同期ワード「４７」をデータフレームの同期ワード「Ｂ８」に変更するように構成されている。ここで、データフレームの同期ワード「Ｂ８」は、ＴＳパケットの同期ワードの役割も果たすように構成されている。
【００３３】
かかる場合、図２（ａ）及び図２（ｂ）に示すように、データフレーム同期部１４は、かかるデータフレームの先頭以外のＴＳパケット１_２〜１_４及び２_１〜２_４に対して付与されているＴＳパケットの同期ワードについては変更しないように構成されている。
【００３４】
変調部１５は、ＦＰＵ方式の変調部であって、データフレーム同期部１４から入力されたデータフレームに対して変調処理を施すように構成されている。
【００３５】
本実施形態に係る受信装置３では、１本の受信アンテナによるＳＩＳＯが適用されている。また、本実施形態に係る受信装置３は、受信系統１及び受信系統２の２つの受信系統を有している。
【００３６】
図３に示すように、本実施形態に係る受信装置３は、復調部３１と、ＴＳパケット分離部３２と、ＴＳパケット長選択部３３ａ/３３ｂと、ＤＶＢ-ＡＳＩ送信処理部３４ａ/３４ｂと、ＤＶＢ-ＡＳＩ方式の出力端子１/２とを具備している。
【００３７】
ここで、ＴＳパケット長選択部３３ａ、ＤＶＢ-ＡＳＩ送信処理部３４ａ及びＤＶＢ-ＡＳＩ方式の出力端子１は、受信系統１に対応し、ＴＳパケット長選択部３３ｂ、ＤＶＢ-ＡＳＩ送信処理部３４ｂ及びＤＶＢ-ＡＳＩ方式の出力端子２は、受信系統２に対応する。また、復調部３１及びＴＳパケット分離部３２は、受信系統１/２の両者に対して処理を施すように構成されている。
【００３８】
復調部３１は、ＦＰＵ方式の復調部であって、上述の送信装置１によって送信された信号に対して復調処理を施すように構成されている。
【００３９】
ＴＳパケット分離部３２は、復調部３１から受信したデータフレームからＴＳパケットを分離してＴＳパケット長選択部３３ａ/３３ｂの各々に出力するように構成されている。
【００４０】
具体的には、ＴＳパケット分離部３２は、データフレーム同期部１４と逆の処理、すなわち、各データフレーム内のＴＳパケットを分離して、各ＴＳパケットが対応するＴＳパケット長選択部３３ａ/３３ｂの各々に出力するように構成されている。
【００４１】
なお、ＴＳパケット分離部３２は、各データフレームの先頭のＴＳパケットのデータフレーム同期バイト「Ｂ８」をＴＳパケットの同期ワード「４７」に戻すように構成されている。
【００４２】
ＴＳパケット長選択部３３ａ/３３ｂは、それぞれ、ＴＳパケットの長さを１８８バイト或いは２０４バイトのいずれかを設定してＤＶＢ-ＡＳＩ方式の信号に含めるように構成されている。
【００４３】
ＦＰＵ方式では、通常は、復調部３１によって復調されたデータフレームに含まれているＴＳパケットの長さは、２０４バイトであるが、本実施形態に係る受信装置３によれば、ＴＳパケット長選択部３３ａ/３３ｂによって、ＤＶＢ-ＡＳＩ方式の出力端子１/２を介して出力されるＤＶＢ-ＡＳＩ方式の信号に含まれるべきＴＳパケットの長さである１８８バイトに変換することができる。
【００４４】
ＤＶＢ-ＡＳＩ送信処理部３４ａ/３４ｂは、それぞれ、ＴＳパケット長選択部３３ａ/３３ｂから入力されたＴＳパケットを含むＤＶＢ-ＡＳＩ方式の信号を生成してＤＶＢ-ＡＳＩ方式の出力端子１/２を介して出力するように構成されている。
【００４５】
図３に示すように、ＤＶＢ-ＡＳＩ送信処理部３４ａ/３４ｂは、それぞれ、８Ｂ/１０Ｂエンコード部３５ａ/３５ｂと、ＤＶＢ-ＡＳＩ同期ワード・スタッフィング挿入部３６ａ/３６ｂとを具備している。
【００４６】
８Ｂ/１０Ｂエンコード部３５ａ/３５ｂは、それぞれ、ＴＳパケット長選択部３３ａ/３３ｂから入力されたＴＳパケットに対して、８Ｂ/１０Ｂエンコード処理を施すように構成されている。
【００４７】
ＤＶＢ-ＡＳＩ同期ワード・スタッフィング挿入部３６ａ/３６ｂは、それぞれ、８Ｂ/１０Ｂエンコード部３５ａ/３５ｂの各々から入力されたＴＳパケットに対して、同期ワード及びスタッフィングを挿入する処理を施すように構成されている。
【００４８】
本実施形態に係る放送システムによれば、ＦＰＵ方式のシステムにおいて、数１００Ｍｂｐｓといった大きな伝送容量を必要とする４Ｋ放送やＳＨＶ放送用である８Ｋ放送の番組素材を伝送できるという効果を奏する。
【００４９】
また、本実施形態に係る放送システムによれば、従来のＦＰＵ方式のシステムの処理系統を再利用することができる他、開発コストの低減を期待することができる。
【００５０】
（第２の実施形態）
以下、図４〜図６を参照して、本発明の第２の実施形態に係る放送システムについて、上述の第１の実施形態に係る放送システムとの相違点に着目して説明する。
【００５１】
本実施形態に係る送信装置１は、複数本（具体的には、２本）の送信アンテナにより送受信を行うＭＩＭＯ（Ｍｕｌｔｉ-Ｉｎｐｕｔ  Ｍｕｌｔｉ-Ｏｕｔｐｕｔ）方式が適用されており、送信系統１及び送信系統２の２つの送信系統を有している。
【００５２】
図４に示すように、本実施形態に係る送信装置１は、ＤＶＢ-ＡＳＩ方式の入力端子と、ＤＶＢ-ＡＳＩ受信処理部１０と、ＴＳパケット長変換部１３と、データフレーム同期部１４と、変調部１５ａ/１５ｂとを具備している。
【００５３】
ここで、変調部１５ａは、送信系統１に対応し、変調部１５ｂは、送信系統２に対応する。また、ＤＶＢ-ＡＳＩ方式の入力端子、ＤＶＢ-ＡＳＩ受信処理部１０、ＴＳパケット長変換部１３及びデータフレーム同期部１４は、送信系統１/２の両者に対して処理を施すように構成されている。
【００５４】
ＤＶＢ-ＡＳＩ受信処理部１０は、ＤＶＢ-ＡＳＩ方式の入力端子を介して入力されたデータ系列（ＴＳパケット）を含むＤＶＢ-ＡＳＩ方式の信号に対する受信処理を行うように構成されている。
【００５５】
具体的には、図４に示すように、ＤＶＢ-ＡＳＩ受信処理部１０は、ＤＶＢ-ＡＳＩ同期ワード・スタッフィング除去部１１と、８Ｂ/１０Ｂデコード部１２とを具備している。
【００５６】
ＤＶＢ-ＡＳＩ同期ワード・スタッフィング除去部１１は、ＤＶＢ-ＡＳＩ方式の入力端子１を介して入力されたＤＶＢ-ＡＳＩ方式の信号に対して、同期ワード及びスタッフィングを除去する処理を施すように構成されている。
【００５７】
８Ｂ/１０Ｂデコード部１２は、ＤＶＢ-ＡＳＩ同期ワード・スタッフィング除去部１１から入力された信号に対して、８Ｂ/１０Ｂデコード処理を施すように構成されている。
【００５８】
ＴＳパケット長変換部１３は、８Ｂ/１０Ｂデコード部１２から入力された信号に含まれているＴＳパケットの長さを変換するように構成されている。
【００５９】
具体的には、ＴＳパケット長変換部１３は、８Ｂ/１０Ｂデコード部１２から入力された信号に含まれているＴＳパケットの長さが１８８バイトである場合に、かかるＴＳパケットの長さを１８８バイトから２０４バイトに変更するように構成されている。
【００６０】
データフレーム同期部１４は、ＴＳパケット長変換部１３から出力された所定数のＴＳパケットを多重してデータフレームを生成し、データフレーム単位の同期処理を行うように構成されている。
【００６１】
具体的には、データフレーム同期部１４は、図５（ａ）及び図５（ｂ）に示すように、ＴＳパケット長変換部１３から出力されたＴＳパケットの中から８個のＴＳパケットを選択してデータフレームを生成するように構成されている。
【００６２】
ここで、データフレーム同期部１４は、各データフレームの先頭のＴＳパケットに対して付与されているＴＳパケットの同期ワードをデータフレームの同期ワードに変更するように構成されている。
【００６３】
例えば、図５（ａ）及び図５（ｂ）に示すように、データフレーム同期部１４は、ＴＳパケット１_１〜１_４及び２_１〜２_４によって構成されているデータフレームの先頭のＴＳパケット１_１に対して付与されているＴＳパケットの同期ワード「４７」をデータフレームの同期ワード「Ｂ８」に変更するように構成されている。ここで、データフレームの同期ワード「Ｂ８」は、ＴＳパケットの同期ワードの役割も果たすように構成されている。
【００６４】
かかる場合、図５（ａ）及び図５（ｂ）に示すように、データフレーム同期部１４は、かかるデータフレームの先頭以外のＴＳパケット１_２〜１_４及び２_１〜２_４に対して付与されているＴＳパケットの同期ワードについては変更しないように構成されている。
【００６５】
なお、データフレーム同期部１４は、生成したデータフレームの各々を変調部１５ａ/１５ｂ（すなわち、送信系統１/２）のいずれかに出力するように構成されている。
【００６６】
例えば、図５（ａ）及び図５（ｂ）に示すように、データフレーム同期部１４は、生成したデータフレームの各々を変調部１５ａ/１５ｂ（すなわち、送信系統１/２）に交互に出力するように構成されていてもよい。
【００６７】
変調部１５ａ/１５ｂは、それぞれ、ＦＰＵ方式の変調部であって、データフレーム同期部１４から入力されたデータフレームに対して変調処理を施すように構成されている。
【００６８】
本実施形態に係る受信装置３では、複数本（具体的には、２本）の受信アンテナによるＭＩＭＯが適用されている。また、本実施形態に係る受信装置３は、受信系統１及び受信系統２の２つの受信系統を有している。
【００６９】
図６に示すように、本実施形態に係る受信装置３は、復調部３１ａ/３１ｂと、ＴＳパケット分離部３２と、ＴＳパケット長選択部３３と、ＤＶＢ-ＡＳＩ送信処理部３４と、ＤＶＢ-ＡＳＩ方式の出力端子とを具備している。
【００７０】
ここで、復調部３１ａは、受信系統１に対応し、復調部３１ｂは、受信系統２に対応する。また、ＴＳパケット分離部３２、ＴＳパケット長選択部３３、ＤＶＢ-ＡＳＩ送信処理部３４及びＤＶＢ-ＡＳＩ方式の出力端子は、受信系統１/２の両者に対して処理を施すように構成されている。
【００７１】
復調部３１ａ/３１ｂは、それぞれ、ＦＰＵ方式の復調部であって、上述の送信装置１によって送信された信号に対して復調処理を施すように構成されている。
【００７２】
ＴＳパケット分離部３２は、復調部３１ａ/３１ｂから受信したデータフレームからＴＳパケットを分離してＴＳパケット長選択部３３に出力するように構成されている。
【００７３】
具体的には、ＴＳパケット分離部３２は、データフレーム同期部１４と逆の処理、すなわち、各データフレーム内のＴＳパケットを分離して各ＴＳパケットが対応するＴＳパケット長選択部３３ａに出力するように構成されている。
【００７４】
なお、ＴＳパケット分離部３２は、各データフレームの先頭のＴＳパケットのデータフレーム同期バイト「Ｂ８」をＴＳパケットの同期ワード「４７」に戻すように構成されている。
【００７５】
ＴＳパケット長選択部３３は、ＴＳパケットの長さを１８８バイト或いは２０４バイトのいずれかを設定してＤＶＢ-ＡＳＩ方式の信号に含めるように構成されている。
【００７６】
ＤＶＢ-ＡＳＩ送信処理部３４は、ＴＳパケット長選択部３３から入力されたＴＳパケットを含むＤＶＢ-ＡＳＩ方式の信号を生成してＤＶＢ-ＡＳＩ方式の出力端子を介して出力するように構成されている。
【００７７】
図６に示すように、ＤＶＢ-ＡＳＩ送信処理部３４は、８Ｂ/１０Ｂエンコード部３５と、ＤＶＢ-ＡＳＩ同期ワード・スタッフィング挿入部３６とを具備している。
【００７８】
８Ｂ/１０Ｂエンコード部３５は、ＴＳパケット長選択部３３から入力されたＴＳパケットに対して、８Ｂ/１０Ｂエンコード処理を施すように構成されている。
【００７９】
ＤＶＢ-ＡＳＩ同期ワード・スタッフィング挿入部３６は、８Ｂ/１０Ｂエンコード部３５から入力されたＴＳパケットに対して、同期ワード及びスタッフィングを挿入する処理を施すように構成されている。
【００８０】
本実施形態に係る放送システムによれば、従来の送信装置１（図９参照）の変調部１５や従来の受信装置３の復調部の処理を変更することなく、ＭＩＭＯへの対応を可能とすることができる。
【００８１】
（第３の実施形態）
以下、図７及び図８を参照して、本発明の第３の実施形態に係る放送システムについて、上述の第１及び第２の実施形態に係る放送システムとの相違点について説明し、第１及び第２の実施形態と同一の説明は省略する。
【００８２】
本実施形態に係る送信装置１では、複数本（具体的には、２本）の送信アンテナによるＭＩＭＯが適用されている。また、本実施形態に係る送信装置１は、送信系統１及び送信系統２の２つの送信系統を有している。
【００８３】
図７に示すように、本実施形態に係る送信装置１は、ＤＶＢ-ＡＳＩ方式の入力端子１/２と、ＤＶＢ-ＡＳＩ受信処理部１０ａ/１０ｂと、ＴＳパケット長変換部１３ａ/１３ｂと、データフレーム同期部１４と、変調部１５ａ/１５ｂとを具備している。
【００８４】
ここで、ＤＶＢ-ＡＳＩ方式の入力端子１、ＤＶＢ-ＡＳＩ受信処理部１０ａ、ＴＳパケット長変換部１３ａ及び変調部１５ａは、送信系統１に対応し、ＤＶＢ-ＡＳＩ方式の入力端子２、ＤＶＢ-ＡＳＩ受信処理部１０ｂ、ＴＳパケット長変換部１３ｂ及び変調部１５ｂは、送信系統２に対応する。また、データフレーム同期部１４は、送信系統１/２の両者に対して処理を施すように構成されている。
【００８５】
本実施形態に係る受信装置３では、複数本（具体的には、２本）の受信アンテナによるＭＩＭＯが適用されている。また、本実施形態に係る受信装置３は、受信系統１及び受信系統２の２つの受信系統を有している。
【００８６】
図８に示すように、本実施形態に係る受信装置３は、復調部３１ａ/３１ｂと、ＴＳパケット分離部３２と、ＴＳパケット長選択部３３ａ/３３ｂと、ＤＶＢ-ＡＳＩ送信処理部３４ａ/３４ｂと、ＤＶＢ-ＡＳＩ方式の出力端子１/２とを具備している。
【００８７】
ここで、復調部３１ａ、ＴＳパケット長選択部３３ａ、ＤＶＢ-ＡＳＩ送信処理部３４ａ及びＤＶＢ-ＡＳＩ方式の出力端子１は、受信系統１に対応し、復調部３１ｂ、ＴＳパケット長選択部３３ｂ、ＤＶＢ-ＡＳＩ送信処理部３４ｂ及びＤＶＢ-ＡＳＩ方式の出力端子２は、受信系統２に対応する。また、ＴＳパケット分離部３２は、受信系統１/２の両者に対して処理を施すように構成されている。
【００８８】
（その他の実施形態）
上述のように、本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【００８９】
なお、上述の実施形態では、２つの送信系統が設けられているケースを例に挙げて説明しているが、本発明は、かかるケースに限定されることなく、２以上の送信系統が設けられているケースにも適用可能である。
【００９０】
また、上述の実施形態では特に触れていないが、上述の送信装置１及び受信装置３によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ-ＲＯＭやＤＶＤ-ＲＯＭ等の記録媒体であってもよい。
【００９１】
或いは、上述の送信装置１及び受信装置３内の少なくとも一部の機能を実現するためのプログラムを記憶するメモリ及びメモリに記憶されたプログラムを実行するプロセッサによって構成されるチップが提供されてもよい。
【００９２】
或いは、上述の送信装置１及び受信装置３内の少なくとも一部の機能は、製造後に購入者や設計者が構成を設定できるＰＬＤ（Ｐｒｏｇｒａｍｍａｂｌｅ  Ｌｏｇｉｃ  Ｄｅｖｉｃｅ）の一種であるＦＰＧＡ（Ｆｉｅｌｄ−Ｐｒｏｇｒａｍｍａｂｌｅ  Ｇａｔｅ  Ａｒｒａｙ）等の集積回路によって実現されるように構成されていてもよい。
【符号の説明】
【００９３】
１…送信装置
１０、１０ａ、１０ｂ…ＤＶＢ-ＡＳＩ受信処理部
１１、１１ａ、１１ｂ…ＤＶＢ-ＡＳＩ同期ワード・スタッフィング除去部
１２、１２ａ、１２ｂ…８Ｂ/１０Ｂデコード部
１３、１３ａ、１３ｂ…ＴＳパケット長変換部
１４…データフレーム同期部
１５、１５ａ、１５ｂ…変調部
３…送信装置
３１、３１ａ、３１ｂ…復調部
３２…ＴＳパケット分離部
３３、３３ａ、３３ｂ…ＴＳパケット長選択部
３４、３４ａ、３４ｂ…ＤＶＢ-ＡＳＩ送信処理部
３５、３５ａ、３５ｂ…８Ｂ/１０Ｂエンコード部
３６、３６ａ、３６ｂ…ＤＶＢ-ＡＳＩ同期ワード・スタッフィング挿入部
【図１】
2018110395.tif 000003
【図２】
2018110395.tif 000004
【図３】
2018110395.tif 000005
【図４】
2018110395.tif 000006
【図５】
2018110395.tif 000007
【図６】
2018110395.tif 000008
【図７】
2018110395.tif 000009
【図８】
2018110395.tif 000010
【図９】
2018110395.tif 000011
【図１０】
2018110395.tif 000012